(57)【特許請求の範囲】
【請求項１】
ケースを含み、前記ケースの左右両側にはいずれも立柱が固定的に設置され、二つの前記立柱の間には前後対称となる二つの固定板が固定的に設置され、前側の前記固定板には固定柱が固定的に設置され、前記固定柱の外面には円柱スリーブが回転可能に設置され、前記円柱スリーブには金型空間が四つ設置され、各前記金型空間の中にはいずれもプッシュ板がスライド可能に設置され、前記プッシュ板と前記円柱スリーブとの間にはばねが装着され、前記固定柱の中には前記プッシュ板を押し動かすことができる押しポンプが固定的に嵌められ、前記ケースの頂面には原料用撹拌箱が固定的に設置され、前記原料用撹拌箱の中には撹拌空間が設置され、前記撹拌空間の中には撹拌軸が回転可能に設置され、前記ケースの中には押出空間が設置され、前記押出空間の中にはねじ棒が回転可能に設置され、前記撹拌空間と前記押出空間とが連通し、前記立柱の頂面にはさらにブロワーが固定的に設置され、前記ブロワーの中にはファン軸が回転可能に設置され、前記ファン軸の外円周面にはファンが固定的に設置され、前記ケースの底面には回転盤が回転可能に設置され、前記回転盤の底面には原料送り出し口が設置され、前記原料送り出し口は前記金型空間の中に原料を投入でき、前記回転盤の底面には型押しブロックがスライド可能に設置され、前記型押しブロックは前記金型空間の中の原料をプレス成形し、前記撹拌軸の回転、前記ファン軸の回転、及び前記円柱スリーブの回転はいずれも動力モーターによって駆動され、前記動力モーターが前記ブロワーの頂面に固定的に嵌められていることを特徴とする経口避妊薬用薬瓶の蓋に対する自動生産装置。
【請求項２】
前記撹拌空間の内壁には電熱線が固定的に嵌められ、前記電熱線は前記撹拌空間の中の原料を加熱でき、前記撹拌軸の外面には撹拌ロッドが固定的に設置され、前記撹拌軸の中部外面には第一傘歯車が固定的に設置され、前記ねじ棒の左端には第二傘歯車が固定的に設置され、前記第二傘歯車と前記第一傘歯車とが噛み合っており、前記ねじ棒の右端には第三傘歯車が固定的に設置され、前記ファン軸の底端には第四傘歯車が固定的に設置され、前記第四傘歯車と前記第三傘歯車とが噛み合っていることを特徴とする請求項１に記載の経口避妊薬用薬瓶の蓋に対する自動生産装置。
【請求項３】
前記原料送り出し口と前記押出空間とがホースにより連通され、前記回転盤の頂端と前記ケースの中に固定的に嵌められた切換えモーターとが伝動可能に連結され、前記回転盤の底面の中には液圧ポンプが固定的に嵌められ、前記液圧ポンプと前記型押しブロックとが伝動可能に連結されていることを特徴とする請求項２に記載の経口避妊薬用薬瓶の蓋に対する自動生産装置。
【請求項４】
右側の前記立柱には送風口が固定的に設置され、前記送風口と前記ブロワーの内部とが連通し、前記円柱スリーブの底部には輸送ベルトが設置され、前記輸送ベルトは瓶の蓋を送り出すことができ、前記ケースの底面の中には切断モーターが固定的に嵌められ、前記切断モーターの底端には下方に伸びる縦軸が伝動可能に連結され、前記縦軸の底端には切断カッターが固定的に設置され、前記切断カッターは前記金型空間の中にある瓶の蓋に押し出された余分な原料を切り除くことができることを特徴とする請求項３に記載の経口避妊薬用薬瓶の蓋に対する自動生産装置。
【請求項５】
前記撹拌軸の底端には第五傘歯車が固定的に設置され、前記固定柱の後端には回転軸が回転可能に設置され、前記回転軸の外面には扇状歯車が固定的に設置され、前記扇状歯車は前記円柱スリーブの内面と噛み合え、前記回転軸の後端には第六傘歯車が固定的に設置され、前記第六傘歯車と前記第五傘歯車とが噛み合っていることを特徴とする請求項４に記載の経口避妊薬用薬瓶の蓋に対する自動生産装置。
【請求項６】
前記撹拌空間の底壁には止め板がスライド可能に設置され、前記止め板の頂面には固定ブロックが固定的に設置され、前記固定ブロックの左右両側にはいずれも電磁石が設置され、前記電磁石は通電して前記止め板のスライドを制御できることを特徴とする請求項５に記載の経口避妊薬用薬瓶の蓋に対する自動生産装置。
【発明の詳細な説明】
【技術分野】
【０００１】
本願発明は射出成形技術分野に関し、具体的には経口避妊薬用薬瓶の蓋に対する自動生産装置である。
【背景技術】
【０００２】
家族計画用品とは、主に夫と妻の間の様々な性的用品の一般の名前であり、経口避妊薬と性的用具とを含む。経口避妊薬は通常薬瓶に貯蔵される。薬瓶の蓋の生産は射出成形機によって大規模に行われ、従来の射出成形機は体積が大きく、大量のエネルギーを消費し、値段が高く、小さな工場に適していない。
【先行技術文献】
【特許文献】
【０００３】
【特許文献１】中国特許出願公開第１０４６２４８４９号明細書
【発明の概要】
【発明が解決しようとする課題】
【０００４】
本願発明は経口避妊薬用薬瓶の蓋に対する自動生産装置を提供し、既存技術にある上記の欠点を解消することを目的とする。
【課題を解決するための手段】
【０００５】
本願発明の経口避妊薬用薬瓶の蓋に対する自動生産装置は、ケースを含み、前記ケースの左右両側にはいずれも立柱が固定的に設置され、二つの前記立柱の間には前後対称となる二つの固定板が固定的に設置され、前側の前記固定板には固定柱が固定的に設置され、前記固定柱の外面には円柱スリーブが回転可能に設置され、前記円柱スリーブには金型空間が四つ設置され、各前記金型空間の中にはいずれもプッシュ板がスライド可能に設置され、前記プッシュ板と前記円柱スリーブとの間にはばねが装着され、前記固定柱の中には前記プッシュ板を押し動かすことができる押しポンプが固定的に嵌められ、前記ケースの頂面には原料用撹拌箱が固定的に設置され、前記原料用撹拌箱の中には撹拌空間が設置され、前記撹拌空間の中には撹拌軸が回転可能に設置され、前記ケースの中には押出空間が設置され、前記押出空間の中にはねじ棒が回転可能に設置され、前記撹拌空間と前記押出空間とが連通し、前記立柱の頂面にはさらにブロワーが固定的に設置され、前記ブロワーの中にはファン軸が回転可能に設置され、前記ファン軸の外円周面にはファンが固定的に設置され、前記ケースの底面には回転盤が回転可能に設置され、前記回転盤の底面には原料送り出し口が設置され、前記原料送り出し口は前記金型空間の中に原料を投入でき、前記回転盤の底面には型押しブロックがスライド可能に設置され、前記型押しブロックは前記金型空間の中の原料をプレス成形し、前記撹拌軸の回転、前記ファン軸の回転、及び前記円柱スリーブの回転はいずれも動力モーターによって駆動され、前記動力モーターが前記ブロワーの頂面に固定的に嵌められている。
【０００６】
前記撹拌空間の内壁には電熱線が固定的に嵌められ、前記電熱線は前記撹拌空間の中の原料を加熱でき、前記撹拌軸の外面には撹拌ロッドが固定的に設置され、前記撹拌軸の中部外面には第一傘歯車が固定的に設置され、前記ねじ棒の左端には第二傘歯車が固定的に設置され、前記第二傘歯車と前記第一傘歯車とが噛み合っており、前記ねじ棒の右端には第三傘歯車が固定的に設置され、前記ファン軸の底端には第四傘歯車が固定的に設置され、前記第四傘歯車と前記第三傘歯車とが噛み合っている。
【０００７】
前記原料送り出し口と前記押出空間とがホースにより連通され、前記回転盤の頂端と前記ケースの中に固定的に嵌められた切換えモーターとが伝動可能に連結され、前記回転盤の底面の中には液圧ポンプが固定的に嵌められ、前記液圧ポンプと前記型押しブロックとが伝動可能に連結されている。
【０００８】
右側の前記立柱には送風口が固定的に設置され、前記送風口と前記ブロワーの内部とが連通し、前記円柱スリーブの底部には輸送ベルトが設置され、前記輸送ベルトは瓶の蓋を送り出すことができ、前記ケースの底面の中には切断モーターが固定的に嵌められ、前記切断モーターの底端には下方に伸びる縦軸が伝動可能に連結され、前記縦軸の底端には切断カッターが固定的に設置され、前記切断カッターは前記金型空間の中にある瓶の蓋に押し出された余分な原料を切り除くことができる。
【０００９】
前記撹拌軸の底端には第五傘歯車が固定的に設置され、前記固定柱の後端には回転軸が回転可能に設置され、前記回転軸の外面には扇状歯車が固定的に設置され、前記扇状歯車は前記円柱スリーブの内面と噛み合え、前記回転軸の後端には第六傘歯車が固定的に設置され、前記第六傘歯車と前記第五傘歯車とが噛み合っている。
【００１０】
前記撹拌空間の底壁には止め板がスライド可能に設置され、前記止め板の頂面には固定ブロックが固定的に設置され、前記固定ブロックの左右両側にはいずれも電磁石が設置され、前記電磁石は通電して前記止め板のスライドを制御できる。
【発明の効果】
【００１１】
本願発明の効果は：本願発明は、撹拌軸の回転、ねじ棒の回転、円柱スリーブの回転、及びファン軸の回転を同一の動力源によって駆動し、機構間の連動性を向上させ、動力源の数を減らし、コストを抑え、また、本願発明は構成が簡単で、操作が便利で、動力伝達が安定であるため、小さな工場に適する。
【図面の簡単な説明】
【００１２】
下記に図１〜３をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明内部全体の構成概略図
【図２】図２は本願発明の固定柱の左側断面図
【図３】図３は本願発明の図におけるＡの部分拡大概略図
【発明を実施するための形態】
【００１４】
図１〜３を参照し、本願発明の経口避妊薬用薬瓶の蓋に対する自動生産装置は、ケース６５を含み、前記ケース６５の左右両側にはいずれも立柱１０が固定的に設置され、二つの前記立柱１０の間には前後対称となる二つの固定板１６が固定的に設置され、前側の前記固定板１６には固定柱４７が固定的に設置され、前記固定柱４７の外面には円柱スリーブ１５が回転可能に設置され、前記円柱スリーブ１５には金型空間４０が四つ設置され、各前記金型空間４０の中にはいずれもプッシュ板４１がスライド可能に設置され、前記プッシュ板４１と前記円柱スリーブ１５との間にはばね５３が装着され、前記固定柱４７の中には前記プッシュ板４１を押し動かすことができる押しポンプ４２が固定的に嵌められ、前記ケース６５の頂面には原料用撹拌箱２９が固定的に設置され、前記原料用撹拌箱２９の中には撹拌空間３０が設置され、前記撹拌空間３０の中には撹拌軸３２が回転可能に設置され、前記ケース６５の中には押出空間７１が設置され、前記押出空間７１の中にはねじ棒７２が回転可能に設置され、前記撹拌空間３０と前記押出空間７１とが連通し、前記立柱１０の頂面にはさらにブロワー３６が固定的に設置され、前記ブロワー３６の中にはファン軸３３が回転可能に設置され、前記ファン軸３３の外円周面にはファン３４が固定的に設置され、前記ケース６５の底面には回転盤４３が回転可能に設置され、前記回転盤４３の底面には原料送り出し口２０が設置され、前記原料送り出し口２０は前記金型空間４０の中に原料を投入でき、前記回転盤４３の底面には型押しブロック２２がスライド可能に設置され、前記型押しブロック２２は前記金型空間４０の中の原料をプレス成形し、前記撹拌軸３２の回転、前記ファン軸３３の回転、及び前記円柱スリーブ１５の回転はいずれも動力モーター７６によって駆動され、前記動力モーター７６が前記ブロワー３６の頂面に固定的に嵌められている。
【００１５】
前記撹拌空間３０の内壁には電熱線３１が固定的に嵌められ、前記電熱線３１は前記撹拌空間３０の中の原料を加熱でき、前記撹拌軸３２の外面には撹拌ロッド２８が固定的に設置され、前記撹拌軸３２の中部外面には第一傘歯車２６が固定的に設置され、前記ねじ棒７２の左端には第二傘歯車２７が固定的に設置され、前記第二傘歯車２７と前記第一傘歯車２６とが噛み合っており、前記ねじ棒７２の右端には第三傘歯車３８が固定的に設置され、前記ファン軸３３の底端には第四傘歯車３７が固定的に設置され、前記第四傘歯車３７と前記第三傘歯車３８とが噛み合っており、前記動力モーター７６の作動により、前記ファン軸３３は前記ねじ棒７２を回転させ、前記撹拌軸３２を回転させることで、前記撹拌ロッド２８は撹拌をする。
【００１６】
前記原料送り出し口２０と前記押出空間７１とがホース２４により連通され、前記回転盤４３の頂端と前記ケース６５の中に固定的に嵌められた切換えモーター２５とが伝動可能に連結され、前記回転盤４３の底面の中には液圧ポンプ２３が固定的に嵌められ、前記液圧ポンプ２３と前記型押しブロック２２とが伝動可能に連結され、前記切換えモーター２５の作動により、前記回転盤４３が回転することで、前記原料送り出し口２０と前記型押しブロック２２との位置を交換する。
【００１７】
右側の前記立柱１０には送風口１８が固定的に設置され、前記送風口１８と前記ブロワー３６の内部とが連通し、前記円柱スリーブ１５の底部には輸送ベルト１１が設置され、前記輸送ベルト１１は瓶の蓋を送り出すことができ、前記ケース６５の底面の中には切断モーター１９が固定的に嵌められ、前記切断モーター１９の底端には下方に伸びる縦軸１３が伝動可能に連結され、前記縦軸１３の底端には切断カッター１４が固定的に設置され、前記切断カッター１４は前記金型空間４０の中にある瓶の蓋に押し出された余分な原料を切り除くことができる。
【００１８】
前記撹拌軸３２の底端には第五傘歯車６７が固定的に設置され、前記固定柱４７の後端には回転軸４５が回転可能に設置され、前記回転軸４５の外面には扇状歯車４６が固定的に設置され、前記扇状歯車４６は前記円柱スリーブ１５の内面と噛み合え、前記回転軸４５の後端には第六傘歯車４４が固定的に設置され、前記第六傘歯車４４と前記第五傘歯車６７とが噛み合っており、前記撹拌軸３２の回転により、前記第五傘歯車６７が前記第六傘歯車４４を回転させ、前記回転軸４５が前記円柱スリーブ１５を回転させられる。
【００１９】
前記撹拌空間３０の底壁には止め板５２がスライド可能に設置され、前記止め板５２の頂面には固定ブロック５０が固定的に設置され、前記固定ブロック５０の左右両側にはいずれも電磁石５１が設置され、前記電磁石５１は通電して前記止め板５２のスライドを制御でき、こうして前記撹拌空間３０の底部を開ける又は閉めることができる。
【００２０】
使用するとき、まず、原料を撹拌空間３０の中に投入し、電熱線３１に通電し、動力モーター７６を回転させ、ファン軸３３を回転させることで、第四傘歯車３７が駆動されて回転し、第三傘歯車３８がねじ棒７２を回転させ、第二傘歯車２７が第一傘歯車２６を回転させ、撹拌軸３２が回転することで、撹拌ロッド２８が撹拌空間３０の中の原料を撹拌し、撹拌完了後、電磁石５１を作動させ、止め板５２をスライドさせることで、撹拌空間３０の底部が開けられ、撹拌空間３０の中の原料は押出空間７１の中に入り、ねじ棒７２が回転することにより原料を原料送り出し口２０の中に入って金型空間４０の中に落とし、その後、切換えモーター２５を作動させることで、回転盤４３が回転し、型押しブロック２２を金型空間４０の上方に位置合わせし、液圧ポンプ２３を作動させ、型押しブロック２２に型押しを施させ、型押し完了後、撹拌軸３２が回転することにより、第五傘歯車６７が作動し、第六傘歯車４４が回転し、扇状歯車４６が円柱スリーブ１５を回転させ、金型空間４０を送風口１８に位置合わせし、ファン３４が回転して送風口１８から風を送って金型空間４０の中の瓶の蓋を乾燥し、その後、金型空間４０が引き続き回転し、切断モーター１９を作動させ、切断カッター１４によって余分な原料を切り除いた後、押しポンプ４２を作動させ、プッシュ板４１を下方に移動させることで、仕上げられた瓶の蓋を押して出し、輸送ベルト１１によって輸送する。
【００２１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本発明は家族計画用薬品瓶の蓋の自動生産装置を開示した。
【解決手段】
ケースを含み、前記ケースの左右両側にはいずれも立柱が固定的に設置され、二つの前記立柱の間には前後対称となる二つの固定板が固定的に設置され、前側の前記固定板には固定柱が固定的に設置され、前記固定柱の外面には円柱スリーブが回転可能に設置され、前記円柱スリーブには金型空間が四つ設置され、各前記金型空間の中にはいずれもプッシュ板がスライド可能に設置され、本願発明は、撹拌軸の回転、ねじ棒の回転、円柱スリーブの回転、及びファン軸の回転を同一の動力源によって駆動し、機構間の連動性を向上させ、動力源の数を減らし、コストを抑え、また、本願発明は構成が簡単で、操作が便利で、動力伝達が安定であるため、小さな工場に適する。
【選択図】図１【図１】
0006859541.tif 000002
【図２】
0006859541.tif 000003
【図３】
0006859541.tif 000004